(57)【特許請求の範囲】
【請求項１】
温室あるいはビニールハウスにおける部屋の天井側に設けられるガイドレールと、上端を固定端とし下端を上記ガイドレールに沿って昇降させると共に上記ガイドレールに沿って下降させるときに展張して閉状態になる下カーテンとを備えるカーテン装置において、
上記下カーテンの下端を棟部材に沿って延在する巻き取り軸に連結させ、上記ガイドレールが当該ガイドレールを昇降する戸車を保持し、
上記戸車が上記巻き取り軸を吊持し、上記巻き取り軸が当該巻き取り軸を回動する駆動機を備え、かつ、上記巻き取り軸に設けられ当該巻き取り軸を上記ガイドレールの下端側に向けて附勢する附勢手段を備え、上記巻き取り軸が上記駆動機の駆動で解き出し方向に回動して上記下カーテンを解き出すと共に上記ガイドレールに沿って下降するときに、上記附勢手段が回動しながら下降する上記巻き取り軸から解き出される上記下カーテンの解き出し長さを上記巻き取り軸の移動距離に一致させることを特徴とするカーテン装置。
【請求項２】
上記附勢手段が上記巻き取り軸に当該巻き取り軸を回動中心にして回動自在に設けられるドラムと、当該ドラムと上記巻き取り軸との間に設けられ当該巻き取り軸の解き出し方向への回動時に上記ドラムと連結すると共に上記巻き取り軸の巻き取り方向への回動時に上記ドラムとの連結を解除するワンウェイクラッチ機構と、上記ガイドレールに沿って設けられ中間部を上記ドラムに巻き込みおよび巻き解き自在に巻装し上端を固定端にすると共に下端を上記ガイドレールの下端近傍に延在して緊張するリード紐とを備え、
上記巻き取り軸が上記駆動機の駆動で解き出し方向に回動して上記ガイドレールに沿って下降し上記下カーテンを解き出すときに、上記ドラムが上記ワンウェイクラッチ機構の作動で上記巻き取り軸に固着状態に連結すると共に上記リード紐を巻き込みおよび巻き解きして当該リード紐に沿って下降し、上記巻き取り軸の移動距離を上記下カーテンの解き出し長さに一致させる請求項１に記載のカーテン装置。
【請求項３】
上記附勢手段が上端を上記巻き取り軸に連結して当該巻き取り軸に巻き取りおよび解き出し自在に巻装すると共に下端を上記ガイドレールの下端の下方に延在して固定状態にする緊張ベルトを備え、
上記巻き取り軸が上記駆動機の駆動で解き出し方向に回動して上記ガイドレールに沿って下降し上記下カーテンを解き出すときに、上記巻き取り軸が上記緊張ベルトを巻き取りながら上記ガイドレールに沿って下降し、上記巻き取り軸の移動距離を上記下カーテンの解き出し長さに一致させる請求項１に記載のカーテン装置。
【請求項４】
上記ワンウェイクラッチ機構が上記ドラムと、当該ドラムの軸芯部に回動自在に保持されて軸芯部に上記巻き取り軸を固定状態に連結させる回動部材とを備え、
当該回動部材が上記ドラムの内周に対向する外周に上記巻き取り軸の軸線方向に沿って見る正面視で楔形となり上記巻き取り軸の軸線方向に延在する外側凹溝を備え、
軸線方向が上記巻き取り軸の軸線方向に沿うロール状体からなり上記外側凹溝に臨在する遊動ストッパを備え、
上記回動部材が静止状態にある上記ドラムに対して一方向に回動するときに、上記遊動ストッパが上記外側凹溝で遊動して上記回動部材の上記ドラムに対する連結を解除するフリー状態になり、上記回動部材が上記ドラムに関係なく回動することを許容し、
上記回動部材が静止状態にある上記ドラムに対して上記一方向の反対方向に回動するときに、上記遊動ストッパが上記外側凹溝で収斂側に移動して上記回動部材の上記ドラムに対する連結を可能にするロック状態になり、上記回動部材が上記ドラムに一体的に固着された状態になって上記回動部材の回動で上記ドラムの同時回動を可能にする請求項２に記載のカーテン装置。
【請求項５】
上記ワンウェイクラッチ機構が上記ドラムと、当該ドラムの軸芯部に回動自在に保持されて軸芯部に上記巻き取り軸を固定状態に連結させる回動部材とを備え、
当該回動部材が上記ドラムの内周に対向する外周に上記巻き取り軸の軸線方向に沿って見る正面視で楔形となり上記巻き取り軸の軸線方向に延在する外側凹溝を備え、
上記ドラムが上記回動部材の外周に対向する内周に上記巻き取り軸の軸線方向に沿って見る正面視で半円形となり上記巻き取り軸の軸線方向に延在する内側凹溝を備え、
軸線方向が上記巻き取り軸の軸線方向に沿うロール状体からなり上記外側凹溝に臨在する遊動ストッパを備え、上記回動部材が静止状態にある上記ドラムに対して一方向に回動されるときに、上記遊動ストッパが上記外側凹溝で遊動して上記回動部材の上記ドラムに対する連結を解除するフリー状態になり、上記回動部材が上記ドラムに関係なく回動することを許容し、
上記回動部材が静止状態にある上記ドラムに対して上記一方向の反対方向に回動されるときに上記遊動ストッパが上記外側凹溝で収斂側に移動して上記回動部材の上記ドラムに対する連結を可能にするロック状態になり、上記回動部材が上記ドラムに一体的に固着された状態になって上記回動部材の回動で上記ドラムの同時回動を可能にする請求項２に記載のカーテン装置。
【請求項６】
上記リード紐が下端に当該下端を下方に向けて引っ張るリード紐緊張手段を備え、
当該リード紐緊張手段が上記リード紐の下端と当該下端の下方となる固定部との間に引っ張り部材を備え、
当該引っ張り部材の張力で上記リード紐を緊張状態に維持する請求項２，請求項４または請求項５のいずれかに記載のカーテン装置。
【請求項７】
上記緊張ベルトが下端に当該下端を下方に向けて引っ張るベルト緊張手段を備え、
当該ベルト緊張手段が上記緊張ベルトの下端と当該下端の下方となる固定部との間に設けられる引っ張り部材と、当該引っ張り部材に連結して当該引っ張り部材に荷重を掛けるウェイト７を備え、
当該ウェイト７に裏打ちされた上記引っ張り部材の張力で上記緊張ベルトを緊張状態に維持する請求項３に記載のカーテン装置。
【請求項８】
上記ガイドレールに沿って延在する駆動機用レールを備え、上記駆動機が上記巻き取り軸に連結する出力軸部にガイドローラを備え、
当該ガイドローラが上記駆動機用レールを転動して上記巻き取り軸が上記駆動機用レールに沿って回動する請求項１から請求項７のいずれかに記載のカーテン装置。
【請求項９】
上記支持梁の上方に設けられ下端を上記ガイドレールの下端の下方になる部位あるいは上記支持梁の下端部に延在して上記支持梁の上方で展張する上カーテンを備え、当該上カーテンの下端に連結し上記温室あるいはビニールハウスにおける頂部を形成する棟部材に沿って延在する巻き軸を備え、当該巻き軸が当該巻き軸を回動中心にして一方向に回動するときに上記上カーテンを巻き取りながら上記支持梁の上方で上昇すると共に当該巻き軸を回動中心にして上記一方向の反対方向に回動するときに上記上カーテンを解き出ししながら上記支持梁の上方で下降し、上記支持梁を下降した上記上カーテンの下端が上記ガイドレールの下端の下方になる部位あるいは上記支持梁の下端部に延在して上記上カーテンが上記支持梁の上方に展張する請求項１から請求項８のいずれかに記載のカーテン装置。
【発明の詳細な説明】
【技術分野】
【０００１】
本発明は、カーテン装置に関し、特に、温室あるいはビニールハウスにおける部屋の温度管理を可能にするカーテン装置の改良に関する。
【背景技術】
【０００２】
温室あるいはビニールハウスにおける部屋の温度管理を可能にするカーテン装置としては、これまでに種々の提案があるが、たとえば、特許文献１に開示の提案にあっては、部屋で遮光材からなるカーテンを開閉して部屋への屋根越しの太陽光の射し込み量を調整し、部屋の温度管理をするとしている。
【０００３】
そして、この特許文献１に開示の提案にあって、カーテンは、温室あるいはビニールハウスにおける屋根の頂部を形成する棟部材の延在方向となる長手方向を横切る方向、すなわち、温室あるいはビニールハウスにおける妻面に沿う方向たる短手方向に延在されるガイドレールに吊持されて開閉するとしている。
【０００４】
そしてまた、ガイドレールは、妻面に向かう立面視で山形に形成され、同じく妻面に向かう立面視で山形に形成されて屋根の下方の部屋に設けられる支持梁に保持され、カーテンを吊持する複数の戸車を保持している。
【０００５】
ちなみに、カーテンの上端は、支持梁の上端に長手方向に設けられた巻き取り軸に巻き取りベルトを介して連結され、巻き取り軸の回動で巻き取りベルトが長短されてガイドレールに沿って上下動、すなわち、ガイドレールを昇降するとし、カーテンの上端がガイドレールに沿って上昇するときにカーテンを展張した閉状態にし、逆に、カーテンの上端がガイドレールに沿って下降するときにカーテンを折り畳んだ開状態にするとしている。
【０００６】
そして、カーテンの下端は、温室あるいはビニールハウスにおける側壁の頂部を形成して長手方向に延在する軒部材に近隣するガイドレールの下端部に連結されている。
【０００７】
なお、この種のカーテン装置にあっては、カーテンが上下に離れる二層に設けられる、すなわち、支持梁の上方に保温カーテンが設けられ、支持梁の下方に遮光カーテンが設けられて二層となることがあるので、以下では、支持梁の下方に設けられるカーテンを「下カーテン」と称し、支持梁の上方に設けられるカーテンを「上カーテン」と称する。
【０００８】
それゆえ、特許文献１に開示の提案にあっては、折り畳まれている下カーテンの上端をガイドレールに沿ってガイドレールの上端に向けて引き上げることで、遮光材からなる下カーテンを閉状態にして、部屋への屋根越しの太陽光の射し込み量を少なくすることが可能になる。
【０００９】
そして、ガイドレールに沿って閉状態にある下カーテンの上端をガイドレールに沿ってガイドレールの下端側に下降させて下カーテンを折り畳み状態にすることで、遮光材からなる下カーテンを開状態にして、部屋への屋根越しの太陽光の射し込み量を多くすることが可能になる。
【先行技術文献】
【特許文献】
【００１０】
【特許文献１】特開２０１４−０２３４３１号公報
【発明の概要】
【発明が解決しようとする課題】
【００１１】
上記したカーテン装置にあっては、遮光材からなる下カーテンの開閉を制御することで、温室あるいはビニールハウスにおける部屋の温度管理を可能にし得る点で基本的には問題ないが、利用の実際を勘案すると、些かの不具合を指摘される可能性がある。
【００１２】
すなわち、上記した提案にあっては、巻き取り軸の回動で下カーテンの上端を昇降させて下カーテンの開閉を可能にするが、下カーテンを開状態にして部屋に射し込まれる太陽光の射し込み量を多くするのについては、巻き取り軸の回動で巻き取りベルトを解き出し、下カーテンの上端のガイドレールに沿っての下降を許容する。
【００１３】
その結果、下カーテンの上端がガイドレールに沿ってガイドレールの下端側に下降し、下カーテンが温室あるいはビニールハウスにおける軒部材近くで折り畳まれた状態になるが、このとき、折り畳まれた下カーテンは、軒部材の近くを占拠する態勢になるので、折り畳まれた下カーテンによって生じる影で作物の育成が阻害され易くなると共に、部屋で植栽などの作業をする者が軒部材に近づくときにその行動を妨げ易くなる不具合がある。
【００１４】
本発明は、上記した現状を鑑みて創案されたものであって、その目的とするところは、温室あるいはビニールハウスにおける部屋でカーテンを開閉して部屋の温度管理をするのについて、部屋で植栽などの作業をする者の行動の妨げにならないようにし、また、カーテンの開放時における作物に対する光環境を可能な限りに阻害しないようにして、好ましい温度管理の実現を可能にするカーテン装置を提供することである。
【課題を解決するための手段】
【００１５】
上記した目的を達成するために、本発明によるカーテン装置の構成を、温室あるいはビニールハウスにおける部屋の天井側に設けられるガイドレールと、上端を固定端とし下端を上記ガイドレールに沿って昇降させると共に上記ガイドレールに沿って下降させるときに展張して閉状態になる下カーテンとを備えるカーテン装置において、上記下カーテンの下端を棟部材に沿って延在する巻き取り軸に連結させ、上記ガイドレールが当該ガイドレールを昇降する戸車を保持し、上記戸車が上記巻き取り軸を吊持し、上記巻き取り軸が当該巻き取り軸を回動する駆動機を備え、かつ、上記巻き取り軸に設けられ当該巻き取り軸を上記ガイドレールの下端側に向けて附勢する附勢手段を備え、上記巻き取り軸が上記駆動機の駆動で解き出し方向に回動して上記下カーテンを解き出すと共に上記ガイドレールに沿って下降するときに、上記附勢手段が回動しながら下降する上記巻き取り軸から解き出される上記下カーテンの解き出し長さを上記巻き取り軸の移動距離に一致させることを特徴とするものである。
【発明の効果】
【００１６】
それゆえ、本発明のカーテン装置にあっては、駆動機の駆動で巻き取り軸を回動するとき、この巻き取り軸に下端を連結した下カーテンの巻き取りおよび解き出しを可能にする。
【００１７】
そして、本発明のカーテン装置にあっては、下カーテンの巻き取り軸による巻き取りの際に、下カーテンを巻き取り軸に巻き取ると共に巻き取り軸と共にガイドレールに沿って上昇し、下カーテンを巻き取り軸に巻き取った分だけ、下カーテンを開状態にし、部屋への屋根越しの太陽光の射し込み量を多くする。
【００１８】
また、本発明のカーテン装置にあっては、巻き取り軸による下カーテンの解き出しで、下カーテンを巻き取り軸から解き出すと共に巻き取り軸と共にガイドレールに沿って下降し、下カーテンを巻き取り軸から解き出した分だけ、下カーテンを閉状態にし、部屋への屋根越しの太陽光の射し込み量を少なくする。
【００１９】
そしてまた、本発明のカーテン装置にあっては、巻き取り軸をガイドレールに沿って下降させて下カーテンを解き出すときに、附勢手段が巻き取り軸の移動距離をこの巻き取り軸から解き出される下カーテンの解き出し長さに一致させるから、巻き取り軸が移動時に下カーテンの解き出し長さに関係なく回動することを阻止できる。
【００２０】
その結果、本発明のカーテン装置によれば、巻き取り軸の解き出し方向への回動で下カーテンを解き出す際に、下カーテンをだぶつかせることなく巻き取り軸から解き出しできるから、下カーテンが巻き取り軸にだぶついた状態に巻かれている現象の発現を阻止でき、したがって、下カーテンの適正な開閉状態を具現化し得て、部屋で遮光材からなる下カーテンを開閉して部屋への太陽光の射し込み量を調整し温度管理をするのに最適となる。
【００２１】
そして、本発明のカーテン装置によれば、巻き取り軸に巻き取られた下カーテンは、温室あるいはビニールハウスにおける頂部たる棟部材の下方に位置決めされる傾向になるので、部屋での植栽などの作業をする者が温室あるいはビニールハウスにおける軒部材に近づくように行動しても、その行動を妨げない。
【図面の簡単な説明】
【００２２】
【図１】本発明によるカーテン装置を備えるビニールハウスを骨組にビニールフィルムあるいはビニールシートを張らない状態で一部破断して示す概略斜視図である。
【図２】図１のビニールハウスを妻面から見た状態を示す立面図である。
【図３】戸車を示す図で、（Ａ）は、断面で示すガイドレールに保持された状態を示す正面図で、（Ｂ）は、斜視図である。
【図４】駆動機を連結し下カーテンの下端を連結する巻き取り軸が戸車に吊持されている状態を示す部分斜視図である。
【図５】附勢手段を備える巻き取り軸が戸車に吊持されている状態を示す部分斜視図である。
【図６】ガイドレールが支持梁に吊持されている状態を示す部分斜視図である。
【図７】附勢手段を構成するリード紐にリード紐緊張手段が連結された状態を原理的に示す図である。
【図８】ワンウェイクラッチ機構の一実施形態を示す正面図である。
【図９】ワンウェイクラッチ機構の他の実施形態を示す正面図である。
【図１０】巻き取り軸と共に附勢手段の他の実施形態を示す概略斜視図である。
【図１１】上カーテンの下端を連結する巻き軸が係止軸に係止されている状態を示す概略部分正面図である。
【図１２】上カーテンの下端を連結する巻き軸の支持梁上での状態を示す概略部分正面図で、（Ａ）は、巻き軸が係止軸の上方にある状態を示し、（Ｂ）は、巻き軸が係止軸の下方にある状態を示す。
【発明を実施するための形態】
【００２３】
以下に、図示した実施形態に基づいて、本発明を説明するが、本発明のカーテン装置は、図示する実施形態では、ビニールハウスＨ（図１および図２参照）の内部たる部屋（符示せず）に装備される。
【００２４】
ちなみに、本発明の意図するところからすれば、このカーテン装置がビニールハウスＨでなく温室（図示せず）における内部たる部屋に装備されるとしても良いことはもちろんである。
【００２５】
ビニールハウスＨは、骨組（符示せず）に可撓性に富む可視性のビニールフィルム（図示せず）あるいはビニールシート（図示せず）を張って部屋を形成し、温室は、柱材や梁材および軒材や棟材を利用して合掌造構造に組み上げた骨組に可視性のガラス板や合成樹脂板を設けて部屋を形成する。
【００２６】
ちなみに、図１および図２に示すところにあって、ビニールハウスＨは、骨組にビニールフィルムあるいはビニールシートを張る前の状態にあり、下カーテン２および上カーテン２０は、図１中および図２中の各右側にあって伸張途中の状態にあって、完全に展張された状態にない。
【００２７】
戻って、ビニールハウスＨの骨組は、部屋を形成する限りには、任意に構成されて良いが、図示する実施形態では、ビニールハウスＨにおける頂部の延在方向たる長手方向に等間隔に起立する縦方向材たるアーチフレームＨ１と、この等間隔に起立する複数のアーチフレームＨ１を長手方向に繋いで長手方向に倒れないようにする横方向材たる軒部材Ｈ２および棟部材Ｈ３とを有して形成される。
【００２８】
アーチフレームＨ１は、金属製の長尺の丸パイプをアーチ状に折り曲げて形成されてビニールハウスＨにおける側壁および屋根を形成する部材とされ、下端部が地中に挿し込まれて自立し、下端部を地中から引き抜くようにする外力作用がない限りにおいて、ビニールハウスＨにおける骨組の形成を保障する。
【００２９】
軒部材Ｈ２および棟部材Ｈ３は、アーチフレームＨ１と同様に、金属製の長尺の丸パイプで形成され、複数のアーチフレームＨ１の等間隔に起立する状態を維持するもので、専用の連結具が利用されるなどしてアーチフレームＨ１に連結され、アーチフレームＨ１から分離されない限りにおいて、アーチフレームＨ１と共にビニールハウスＨにおける骨組の形成を保障する。
【００３０】
ちなみに、軒部材Ｈ２は、等間隔に起立する複数のアーチフレームＨ１における縦支柱部分Ｈ１ａの上端部（符示せず）を長手方向に繋ぎ、棟部材Ｈ３は、等間隔に起立する複数のアーチフレームＨ１における頂部（符示せず）を長手方向に繋ぐ。
【００３１】
そして、図示しないが、これらアーチフレームＨ１、軒部材Ｈ２および棟部材Ｈ３以外の他の部材がさらに利用されて、ビニールハウスＨにおける骨組が形成されても良いことはもちろんである。
【００３２】
また、上記したところでは、アーチフレームＨ１、軒部材Ｈ２および棟部材Ｈ３がそれぞれ金属製の丸パイプからなるとしたが、本発明の意図するところからすれば、所定の強度を有し、また、所定の機能を発揮する限りには、これに代えて、合成樹脂材や木材からなるパイプ材や棒状材で形成されても良い。
【００３３】
ちなみに、図示しないが、以上のようにして形成される骨組の外周面、すなわち、骨組の長手方向の端面を形成する妻面Ｈ４、骨組の短手方向の端面を形成する側面（符示せず）、さらには、妻面および側面に連続する屋根面（符示せず）には、たとえば、蟻溝フレームが設けられ、この蟻溝フレームに専用の係止具たる係止線状を利用してビニールフィルムあるいはビニールシートが張り付けられる。
【００３４】
なお、上記の軒部材Ｈ２および棟部材Ｈ３、さらには、骨組を形成するための他の部材については、これが上記の蟻溝フレームとされても良いことはもちろんである。
【００３５】
戻って、本発明のカーテン装置は、図１および図２に示すように、ビニールハウスＨにおける妻面Ｈ４に向かう立面視で傾斜する態勢でビニールハウスＨにおける部屋の天井側に設けられるガイドレール１と、一端たる上端を固定端にして他端たる下端をガイドレール１に沿って昇降させる下カーテン２とを備える。
【００３６】
ちなみに、図示する実施形態では、ガイドレール１は、ビニールハウスＨにおける部屋の天井側に傾斜する態勢に設けられ、また、下カーテン２についても、傾斜する態勢のガイドレール１に沿って傾斜する態勢に設けられるとしている。
【００３７】
なお、本発明の意図するところからすれば、ガイドレール１の態勢の如何に係わりなく、下カーテン２がビニールハウスＨにおける部屋の天井側に水平に設けられるとしても良いことはもちろんである。
【００３８】
戻って、本発明のカーテン装置にあっては、図３に示すように、ガイドレール１がこのガイドレール１を移動する、すなわち、昇降する戸車３を保持し、図４に示すように、この戸車３がビニールハウスＨにおける頂部を形成する棟部材Ｈ３に沿って延在する巻き取り軸４（図１参照）を吊持している。
この巻き取り軸４には下カーテン２の下端が連結されて巻き付けられ、更に巻き取り軸４の外端にはこの巻き取り軸４を回動させる駆動機５を設けている。

【００３９】
そしてまた、本発明のカーテン装置にあっては、図５に示すように、巻き取り軸４に設けられこの巻き取り軸４をガイドレール１の下端側に向けて附勢する附勢手段６を備え、巻き取り軸４が駆動機５の駆動で解き出し方向に回動して下カーテン２を解き出すと共にガイドレール１に沿って下降するときに、附勢手段６が巻き取り軸４の移動距離をこの巻き取り軸４から解き出される下カーテン２の解き出し長さに一致させるとしている。
【００４０】
それゆえ、本発明のカーテン装置にあっては、駆動機５の駆動で巻き取り軸４を回動するとき、この巻き取り軸４に下端を連結する下カーテン２の巻き取りおよび解き出しを可能にする。
【００４１】
そして、本発明のカーテン装置にあっては、下カーテン２の巻き取り軸４による巻き取りの際に、下カーテン２を巻き取り軸４に巻き取ると共に巻き取り軸４と共にガイドレール１に沿って上昇し、下カーテン２を巻き取り軸４に巻き取った分だけ、下カーテン２を開状態にし、部屋への屋根越しの太陽光の射し込み量を多くする。
【００４２】
また、本発明のカーテン装置にあっては、巻き取り軸４による下カーテン２の解き出しで、下カーテン２を巻き取り軸４から解き出すと共に巻き取り軸４と共にガイドレール１に沿って下降し、下カーテン２を巻き取り軸４から解き出した分だけ、下カーテン２を閉状態にし、部屋への屋根越しの太陽光の射し込み量を少なくする。
【００４３】
そしてまた、本発明のカーテン装置にあっては、巻き取り軸４をガイドレール１に沿って下降させて下カーテン２を解き出すときに、附勢手段６が巻き取り軸４の移動距離をこの巻き取り軸４から解き出される下カーテン２の解き出し長さに一致させるから、巻き取り軸４が下カーテン２の解き出し長さに関係なく回動しながら移動することを阻止できる。
【００４４】
その結果、本発明のカーテン装置によれば、巻き取り軸４の解き出し方向への回動で下カーテン２を解き出す際に、下カーテン２をだぶつかせることなく巻き取り軸４から解き出しできるから、下カーテン２が巻き取り軸４にだぶついた状態に巻かれている現象の発現を阻止でき、したがって、下カーテン２の適正な開閉状態を具現化し得て、部屋で遮光材からなる下カーテン２を開閉して部屋への太陽光の射し込み量を調整し温度管理をするのに最適となる。
【００４５】
そして、本発明のカーテン装置によれば、巻き取り軸４に巻き取られた下カーテン２は、ビニールハウスＨにおける頂部たる棟部材Ｈ３の下方に位置決めされる傾向になるので、部屋での植栽などの作業をする者がビニールハウスＨにおける軒部材Ｈ２に近づくように行動しても、その行動を妨げないことになる。
【００４６】
詳しく説明すると、ガイドレール１は、図示する実施形態では、ビニールハウスＨにおける妻面Ｈ４に向かう立面視で山形に形成され（図２参照）、同じく妻面Ｈ４に向かう立面視で山形に形成される支持梁Ｂに保持される。
【００４７】
そして、ガイドレール１および支持梁Ｂは、ビニールハウスＨにおける屋根（符示せず）の頂部を形成する棟部材Ｈ３の延在方向となる長手方向を横切る方向、すなわち、ビニールハウスＨにおける妻面Ｈ４に沿う方向たる短手方向に延在する。
【００４８】
また、ガイドレール１は、図１に示すように、長手方向に平行する複数とされて下カーテン２の下端を連結する巻き取り軸４の部屋の天井に沿う短手方向への移動、すなわち、下カーテン２の下端を連結する巻き取り軸４のガイドレール１に沿う移動たる昇降を可能にする。
【００４９】
そして、ガイドレール１は、戸車３の利用で下カーテン２の下端を連結する巻き取り軸４を吊持することからすれば、少なくとも、巻き取り軸４の長手方向に沿う両端部を吊持し得るように平行する二本配置とされる。
【００５０】
のみならず、ガイドレール１間が広くなり、そのため、長手方向の両端部で吊られる巻き取り軸４が自重で中間部から折れ曲がることが危惧される場合には、両端部のガイドレール１間に任意の本数のガイドレール１を平行して設け、各ガイドレール１に巻き取り軸４が吊持されるようにしても良い。ちなみに、ガイドレール１の配置本数は、アーチフレームＨ１の設置本数と一致しなくても良い。
【００５１】
ところで、ガイドレール１は、図示する実施形態では、部屋の短手方向に直列する二本配置とされ、しかも、図１および図２に示すように、ビニールハウスＨにおける妻面Ｈ４から見るとき、山形に連結されるとしている。
【００５２】
すなわち、図示する実施形態にあって、ガイドレール１は、部屋の所定位置に設けられるのに際し、二本のガイドレール１の先端が部屋の短手方向の中央で互いに連結され、しかも、傾斜する状態に配設されるとしている。
【００５３】
言い換えると、ガイドレール１は、図１および図２に示すように、骨組における軒部材Ｈ２側に位置決めされる下端の高さ位置が最も低くなるのに対して、部屋の中央の上方部、すなわち、棟部材Ｈ３側に位置決めされる上端の高さ位置が最も高くなるとしている。
【００５４】
これによって、ガイドレール１に保持される戸車３は、外力の作用がないときに、原理的には、ガイドレール１の下端が位置決められる軒部材Ｈ２側に下降することになり、したがって、戸車３に吊持される巻き取り軸４に下端が連結される下カーテン２は、その状態を図示しないが、巻き取り軸４が軒部材Ｈ２に近くなるガイドレール１の下端に到達するときに、いわゆる閉の状態になり、部屋への屋根越しの太陽光の射し込み量を少なくすることになる。
【００５５】
すなわち、下カーテン２の下端は、図示する実施形態にあって、この下端を連結する巻き取り軸４を引き上げる操作力が解消されるときには、ガイドレール１の傾斜もあって、巻き取り軸４と共に軒部材Ｈ２側に下降し得る態勢になる。
【００５６】
ちなみに、本発明のカーテン装置にあっては、巻き取り軸４の回動で巻き取られた下カーテン２がロール状になってビニールハウスＨの頂部を形成する棟部材Ｈ３に近づく傾向に位置決めされるので、この巻き上げられた下カーテン２の下方に来る植栽などの作業をする者の行動を妨げない利点がある。
【００５７】
ところで、ガイドレール１は、これに巻き取り軸４が吊持されることで、下カーテン２の下端を下降させて展張状態、すなわち、下カーテン２の閉状態を実現でき、あるいは、下カーテン２の下端を上昇させて巻き込み状態、すなわち、下カーテン２の開状態を実現できることからすれば、任意の方策で所定位置に設けられて良い。
【００５８】
とは言え、本発明のカーテン装置にあっては、支持梁Ｂの上方に上カーテン２０を備えるから、ガイドレール１が支持梁Ｂに吊持されずして、たとえば、ビニールハウスＨにおける部屋を形成するアーチフレームＨ１のいわゆる天井部分から吊り束部材を利用するなどして吊持されるのは好ましいとは言い得ない。
【００５９】
そこで、本発明のカーテン装置にあって、支持梁Ｂは、アーチフレームＨ１と同程度の強度を有する丸パイプで形成され、下カーテン２の下端を吊持した状態のガイドレール１を吊持しても、簡単に折れ曲がるなどの変形を招来しないように配慮されている。
【００６０】
また、支持梁Ｂは、図１に示すように、選択されたアーチフレームＨ１における一対となる縦支柱部分Ｈ１ａ間に設けられ、本数については、ガイドレール１の吊持を許容し、また、ガイドレール１に戸車３を介して吊持される巻き取り軸４が駆動機５付きとされること、および、上カーテン２０を上方に設けることを許容する強度を有する限りに任意とされる。
【００６１】
さらに、支持梁Ｂは、両端をアーチフレームＨ１に連結するが、このとき、図１および図２に示すように、支持梁Ｂの両端部をＬ字状に折り曲げるようにしてアーチフレームＨ１との間に凹状の空間（符示せず）を出現させるとし、この凹状の空間に支持梁Ｂの上方に展張する上カーテン２０における下端を収容させても良い。
【００６２】
戻って、ガイドレール１が支持梁Ｂに吊持されることで、部屋に別の支柱部材を立設すると共にこの支柱部材にガイドレール１を設ける方策を採用する場合に比較して、部材点数の削減を可能にすると共に、このカーテン装置を設ける際の作業性、すなわち、設置性を良くすることになる。
【００６３】
のみならず、アーチフレームＨ１に支持梁Ｂを連結することは、アーチフレームＨ１に梁材を設けることと同じになり、したがって、たとえば、支持梁ＢがアーチフレームＨ１と同程度の強度を有するように形成される場合には、支持梁ＢがアーチフレームＨ１の縦支柱およびアーチとしての強度を上げることになり、結果的には、骨組の強度を上げることになる。
【００６４】
一方、支持梁Ｂにガイドレール１を吊持させるのに際しては、ガイドレール１の機能が損なわれない、すなわち、このガイドレール１に保持される戸車３の転動たる移動が可能とされる限りにおいて、任意の方策が採用されて良く、図示する実施形態では、図３に示すように、ガイドレール１の両外側面に係止溝１ａが形成されると共に、図６に示すように、吊り具１０が利用されるとしている。
【００６５】
吊り具１０は、金属材などの硬質材料からなる一対の係止片１０１を支持梁Ｂに介装されるホルダ１０２で吊持する態勢に形成され、また、一対の係止片１０１は、下端にガイドレール１の係止溝１ａに喰い込む爪１０１ａを有し、したがって、この吊り具１０にあっては、ホルダ１０２における締め付けで係止片１０１がガイドレール１を両外側面から挟持することになり、これによって、支持梁Ｂにガイドレール１が吊持される。
【００６６】
この吊り具１０を利用するガイドレール１の吊持の場合には、支持梁Ｂに穿孔などを設けないので、支持梁Ｂの曲げに対する剛性を大きい状態に維持することが可能になり、ガイドレール１の吊持性能が保障されると共に、支持梁Ｂを薄肉にして軽量に形成することを可能にし得ることになる。
【００６７】
戻って、ガイドレール１は、金属製もしくは合成樹脂製とされて、図３に示すように、内側における戸車３の転動、すなわち、移動を可能にするように長尺に形成され、図３（Ａ）に示すように、下端に下を向くスリット状に形成の開口１ｂを全長に亙って有し（図６参照）、この開口１ｂは、戸車３の移動方向を設定している。
【００６８】
少し説明すると、図示する実施形態にあって、ガイドレール１は、図３（Ａ）に示すように、軸線方向を横切る方向の断面形状を開口１ｂが下を向くＣ字状にすると共に開口１ｂを形成するやや肉厚に形成の両縁部を戸車３の転動を許容するレール部１ｃにしている。
【００６９】
ガイドレール１の外側面に形成される係止溝１ａは、吊り具１０における係止片１０１に形成の爪１０１ａが食い込む（図６参照）限りには、必要な長さにのみ形成されるとしても良いが、ガイドレール１が型抜きで形成されることを鑑みると、外側面の全長に亙って形成されるとしても良いことはもちろんで、この場合には、係止片１０１に形成の爪１０１ａが食い込む場所を特定させないので、吊り具１０を利用してガイドレール１を吊持する際の作業性を良くする。
【００７０】
ガイドレール１が以上のように形成されるのに対して、下カーテン２は、本発明のカーテン装置にあって遮光用とされ、上端が固定端とされる一方で、下端が巻き取り軸４に連結された態勢での移動端とされ、この移動端たる下端が巻き取り軸４のガイドレール１に沿っての上昇時に上昇して開状態になり、巻き取り軸４のガイドレール１に沿っての下降時に下降して閉状態になる。
【００７１】
下カーテン２の固定端とされる上端は、図示する実施形態では、ビニールハウスＨにおける頂部を形成する棟部材Ｈ３に沿って設けられてガイドレール１の上端を連結させる固定部材（符示せず）を他部たる固定部に見立ててこれに連結するとしている。
【００７２】
そして、下カーテン２は、図示する実施形態では、ガイドレール１がビニールハウスＨにおける妻面Ｈ４に向かう立面視で山形に形成されることから、これに倣うようにビニールハウスＨにおける妻面Ｈ４に向かう立面視で山形に形成され、ビニールハウスＨの長手方向に延在、すなわち、配設される。
【００７３】
下カーテン２は、ビニールハウスＨの長手方向に配設される設定のとき、いわゆる一枚の下カーテン２がビニールハウスＨの長手方向に配設されるとしても良いが、これに代えて、ビニールハウスＨの長手方向に複数枚とされて配設されるとしても良い。
【００７４】
また、下カーテン２は、ビニールハウスＨの短手方向に延在、すなわち、配設されるとき、上記したところと同様に、一枚の下カーテン２がビニールハウスＨの短手方向に配設されるとしても良いが、これに代えて、ビニールハウスＨの短手方向に複数枚とされて配設されるとしても良い。
【００７５】
ちなみに、下カーテン２は、たとえば、可撓性に富むフィルム材やシート材からなり細かい目のメッシュ状に形成されたり有色とされたりする遮光カーテンとされ、巻き取り軸４に巻き取られるときに徒にだぶつかず、また、巻き取り軸４から解き出されるときに徒に伸びないように形成されるのが好ましい。
【００７６】
なお、下カーテン２の巻き取り軸４への連結方向、すなわち、巻き付き方向であるが、図示する実施形態では、巻き取り軸４の上方から巻き取り軸４に巻き付くとしており、これによって、巻き取り軸４で下カーテン２を巻き取る際に、下カーテン２の上面にある塵芥を下カーテン２が巻き込むことを阻止でき、塵芥を巻き込むことによる下カーテン２の劣化の促進を回避できる点で有利になる。
【００７７】
しかしながら、本発明の意図するところからすれば、下カーテン２が巻き取り軸４に連結される際に、巻き取り軸４の下方から巻き取り軸４に巻き付くとしても良いことはもちろんである。
【００７８】
戸車３は、基本的には、この戸車３に吊持される巻き取り軸４がガイドレール１に沿って円滑に昇降し得る限りには、任意に形成されて良く、図示する実施形態では、図３に示すように、ガイドレール１内に収容された状態でいわゆる横方向に倒れないように二つの車３１を軸３２で枢着し、二つの車３１がガイドレール１の軸線方向に転動することで移動し得るとしている。
【００７９】
そして、この戸車３は、二つの車３１の間に挟まれるように位置決めされて軸３２を貫通させる吊り板３３を有し、この吊り板３３は、ガイドレール１の下を向く開口１ｂに臨んで、吊り板３３の開口１ｂでの水平方向の回動、すなわち、ガイドレール１内での車３１の水平方向の回動を阻止する態勢にあって、戸車３の移動を円滑にする。
【００８０】
そしてまた、この戸車３にあっては、車３１がフランジ３１ａを有し、このフランジ３１ａがガイドレール１の開口１ｂに臨み、この開口１ｂを形成するガイドレール１におけるレール部１ｃに摺接して、フランジ３１ａの開口１ｂでのふらつき、すなわち、戸車３のガイドレール１内でのふらつきが阻止されるとしている。
【００８１】
さらに、この戸車３にあっては、二つの車３１に吊持されてガイドレール１における開口１ｂに臨む吊り板３３を有するから、この吊り板３３によって戸車３におけるガイドレール１内での横方向への回転が阻止される態勢にあるが、図示する実施形態では、車３１が有するフランジ３１ａが開口１ｂの内縁に接触することで、戸車３におけるガイドレール１内での横方向への回転が効果的に阻止される。なお、戸車３における吊り板３３は、任意の構造の吊り具の利用下に、下カーテン２の下端が連結する巻き取り軸４を吊持する（図４および図５参照）。
【００８２】
巻き取り軸４は、下カーテン２の移動端たる下端を連結させて、駆動機５の駆動による回動時に下カーテン２を巻き取りあるいは解き出ししながら戸車３を介してガイドレール１に沿って昇降する。
【００８３】
そのため、巻き取り軸４は、ビニールハウスＨにおける長手方向に沿って、すなわち、ビニールハウスＨの頂部を形成する棟部材Ｈ３沿って延在されるとし、ビニールハウスＨにおける短手方向に延在するガイドレール１に対して直交する態勢になるとしている（図１参照）。
【００８４】
そして、この巻き取り軸４は、ビニールハウスＨにおける長手方向に沿って延在されることから、金属材や硬質合成樹脂材などが利用されて可能な限りに軽量にして強靭に形成されるとし、図示する実施形態では、パイプ材からなる。
【００８５】
ちなみに、部屋の長手方向の長さがいわゆる大きくなる場合には、巻き取り軸４は、直列する複数とされても良く、また、この複数とされる巻き取り軸４は、単一の駆動機５の駆動で回動されても良く、さらには、個別に設けられる駆動機５の駆動で回動されても良い。
【００８６】
そしてまた、巻き取り軸４は、戸車３を介してガイドレール１（図３参照）に吊持され、このとき、戸車３にガイドレール１を吊持する方策については、所定の機能を備える限りには、任意に構成されて良いが、図示する実施形態では、金属など硬質材からなる吊り具１１，１２によって吊持されるとしている（図４および図５参照）。
【００８７】
吊り具１１は、図４に示すように、下半部をホルダ部１１１にして、このホルダ部１１１で巻き取り軸４を回動可能に抱持する一方で、このホルダ部１１１に連続する上半部に吊り軸１１２を貫通させると共にこの吊り軸１１２を掛け回す環１１３が戸車３の吊り板３３に引っ掛けられるとし、巻き取り軸４を戸車３に吊持する。
【００８８】
ところで、図５に示す実施形態にあっては、巻き取り軸４は、他の吊り具１２で戸車３に吊持されるとし、この他の吊り具１２は、巻き取り軸４に軸芯部にこの巻き取り軸４を貫通させる態勢に設けられる合成樹脂製などの鍔付車１２１と、この鍔付車１２１を滑り状態に吊持するフック部材１２２とを備え、このフック部材１２２が戸車３の吊り板３３に引っ掛けられるとしている。
【００８９】
ちなみに、図５に示す実施形態にあっては、鍔付車１２１が間隔を有する一対とされ、フック部材１２２は、この一対となる鍔付車１２１を同時に吊持できるようにいわゆる二股構造に形成されている。
【００９０】
この吊り具１２にあって、鍔付車１２１が間隔を有する一対に設けられるのは、本発明のカーテン装置にあって、附勢手段６を設けることに基づくもので、図示する実施形態では、附勢手段６を構成するドラム６１が一対の鍔付車１２１の間に位置決めされる。
【００９１】
なお、吊り具１２にあって、鍔付車１２１が利用されるのは、巻き取り軸４の回動時における下カーテン２のいわゆる迫り上りを防止するためであり、それゆえ、この迫り上りが危惧されない場合には、鍔付車１２１に代えて鍔を有しない単なる車が装備され、この車がフック部材１２２で吊持されるとしても良い。
【００９２】
ところで、前記したガイドレール１は、図示する実施形態では、傾斜状態に設けられるとしており、したがって、このガイドレール１に保持される戸車３は、外力作用がない限りにおいて、ガイドレール１の傾斜に沿って自由下降することになる。
【００９３】
このことからすれば、傾斜するガイドレール１に戸車３によって吊持される巻き取り軸４は、駆動機５からの駆動力が解除されるとき、すなわち、下カーテン２を巻き取る巻き取り力が解除される場合にガイドレール１に沿って下降することになり、結果として下カーテン２の下端が下降して下カーテン２を閉状態することを許容する。
【００９４】
とは言え、この種カーテン装置におけるガイドレール１の傾斜は、ほぼ水平状態にあると言える程に緩く、したがって、本発明におけるカーテン装置にあっては、下カーテン２の下端を連結する巻き取り軸４が駆動機５の駆動によって強制的に回動されることで、ガイドレール１に沿って円滑に昇降し得るとしている。
【００９５】
そこで、駆動機５は、図４に示すように、たとえば、電動モータ５１を有し、減速器５２を介するなどしてこの電動モータ５１の回転を巻き取り軸４に伝達するとし、そして、この駆動機５は、図示する実施形態では、ビニールハウスＨにおける部屋内に設けられ（図１参照）、たとえば、雨水による錆から護られるとしている。
【００９６】
そして、この駆動機５は、図示する実施形態では、図４に示すように、駆動機５における出力軸５３を巻き取り軸４に連結することで、言わば直付け状態に設けられるとしている。
【００９７】
このとき、駆動機５の出力軸５３は、ガイドローラ５４を固定状態に有し、このガイドローラ５４が駆動機用レール５５を転動し、駆動機用レール５５は、ガイドレール１に沿って延在する。
【００９８】
なお、駆動機用レール５５は、ガイドレール１に沿って延在する限りには、任意の構造下に設けられて良いが、図示する実施形態では、ガイドレール１と同様にビニールハウスＨの妻面Ｈ４に向かう立面視で山形に形成されている。
【００９９】
そして、この駆動機用レール５５の両端は、図示する実施形態では、ビニールハウスＨを形成するアーチフレームＨ１に連結する係止梁Ｓ（図１および図２参照）に連結されるとしている。
【０１００】
また、駆動機５は、図示しないが、リミットスイッチを備え、操作盤からの信号の入力を受ける制御盤からの信号で駆動および停止することが可能とされている。
【０１０１】
それゆえ、以上のように形成される本発明のカーテン装置にあっては、駆動機５の駆動で巻き取り軸４が回動されると、この巻き取り軸４がガイドレール１に沿って昇降し、下カーテン２の下端が巻き取り軸４と共にガイドレール１に沿って昇降する。
【０１０２】
そして、巻き取り軸４が下カーテン２を巻き取る方向に回動するときには、この巻き取り軸４に下端が連結されている下カーテン２が巻き取り軸４に巻き取られ、このとき、巻き取り軸４がガイドレール１に沿って上昇して下カーテン２が開状態になり、部屋への屋根越の太陽光の射し込み量を多くする。
【０１０３】
そしてまた、巻き取り軸４が下カーテン２を解き出す方向に回動するときには、この巻き取り軸４に下端が連結されている下カーテン２が巻き取り軸４から解き出しされ、このとき、巻き取り軸４がガイドレール１に沿って下降して下カーテン２が閉状態になり、部屋への屋根越しの太陽光の射し込み量を少なくする。
【０１０４】
そして、本発明のカーテン装置にあっては、これがビニールハウスＨの部屋に設けられるから、これが部屋の外に設けられる場合に比較して、気候による耐久性の低下を危惧しなくて済むと共に、いわゆるメンテナンス作業を部屋でできるので、メンテナンス作業の作業者の安全を確保し易くなる点で有利となる。
【０１０５】
また、本発明のカーテン装置にあっては、下カーテン２を吊持するガイドレール１が部屋に設けられる支持梁Ｂに吊持されるとするから、この支持梁Ｂの上方に保温目的のカーテン、すなわち、上カーテン２０を設けることを可能にする利点がある。
【０１０６】
ところで、これまで説明したように、本発明のカーテン装置にあっては、巻き取り軸４が駆動機５の駆動で回動して下カーテン２を解き出すときに下カーテン２を閉状態にし、あるいは、下カーテン２を巻き取るときに下カーテン２を開状態にするが、巻き取り軸４が回動して移動する際に、巻き取り軸４の移動距離と下カーテン２の巻き取り長さあるいは解き出し長さとを一致させるのが好ましいと言える。
【０１０７】
そこで、巻き取り軸４を回動して下カーテン２を巻き上げたり解き出したりするときに、駆動機５の駆動を制御することで、巻き取り軸４の移動距離と下カーテン２の巻き取り長さあるいは解き出し長さとを一致させることが可能になると言い得る。
【０１０８】
そして、特に、巻き取り軸４を解き出し方向に回動して下カーテン２を巻き取り軸４から解き出す際に、回動しながら下降する巻き取り軸４の移動距離がこの巻き取り軸４から解き出される下カーテン２の解き出し長さより小さくなり、そのため、たとえば、下カーテン２が巻き取り軸４にだぶついた状態で巻かれている状態になる、すなわち、いわゆるバックラッシュ状態になることを回避するためにも、回動しながら下降する巻き取り軸４の移動距離をこの巻き取り軸４から解き出される下カーテン２の解き出し長さに一致させることが肝要になる。
【０１０９】
と言っても、この種のカーテン装置にあって、巻き取り軸４の回動の際に、下カーテン２の巻き取り軸４に対する巻き取り長さを、あるいは、巻き取り軸４からの下カーテン２の解き出し長さを巻き取り軸４の移動距離に一致させることが容易でないことは経験則の示すところである。
【０１１０】
そこで、本発明のカーテン装置にあっては、下カーテン２の下端を連結して回動時に下カーテン２を巻き取りあるいは解き出しする巻き取り軸４がガイドレール１に沿って昇降するときに、特に、巻き取り軸４がガイドレール１に沿って回動しながら下降するときに、図５に示す附勢手段６によって、巻き取り軸４の移動距離をこの巻き取り軸４から解き出される下カーテン２の解き出し長さに一致させるとしている。
【０１１１】
それゆえ、本発明のカーテン装置にあっては、特に、巻き取り軸４がガイドレール１に沿って下カーテン２を解き出しながら下降する際に、巻き取り軸４の回動しながらの移動距離がこの巻き取り軸４から解き出される下カーテン２の解き出し長さに一致することになり、たとえば、巻き取り軸４の移動距離が下カーテン２の巻き取り軸４からの解き出し長さより小さくなり、したがって、下カーテン２が巻き取り軸４にだぶついた状態で、すなわち、バックラッシュ状態に巻き取り軸４に巻かれることを未然に防止し得ることになる。
【０１１２】
そのため、本発明のカーテン装置にあっては、巻き取り軸４に設けられこの巻き取り軸４をガイドレール１の下端側に向けて附勢する附勢手段６を備えるとし、したがって、以下には、この附勢手段６について、少し説明する。
【０１１３】
図５に示す一実施形態の附勢手段６は、巻き取り軸４にこの巻き取り軸４を回動中心にして回動自在に設けられるドラム６１と、このドラム６１と巻き取り軸４との間に設けられこの巻き取り軸４の解き出し方向への回動時にドラム６１と連結すると共に巻き取り軸４の巻き取り方向への回動時にドラム６１との連結を解除するワンウェイクラッチ機構（附示せず）と、ガイドレール１に沿って設けられ中間部をドラム６１に巻き込みおよび巻き解き自在に巻装し上端を固定端にすると共に下端をガイドレール１の下端近傍に延在して緊張するリード紐６２とを備える。
【０１１４】
すなわち、ドラム６１は、基本的には、巻き取り軸４に回動自在に設けられていて良いが、それは、下カーテン２の巻き取りおよび解き出しは、巻き取り軸４の回動で実践されることからすれば、ドラム６１が無くても、巻き取り軸４が回動されれば、下カーテン２は巻き取り軸４に巻き取られ、あるいは、解き出されるからである。
【０１１５】
特に、巻き取り軸４を巻き取り方向に回動して下カーテン２を巻き取る際には、兎に角、巻き取り軸４が巻き取り方向に回動されれば良く、その限りにおいて、ドラム６１は、不要と言い得る。
【０１１６】
上記に対して、巻き取り軸４を解き出し方向に回動して下カーテン２を解き出す際には、上記したように、巻き取り軸４が言わば勝手に回動して良い訳ではなく、その限りにおいて、ドラム６１が巻き取り軸４に言わば一体に設けられ、このドラム６１にリード紐６２が巻装されることで、巻き取り軸４が勝手に回動することを防止できることになる。
【０１１７】
そこで、附勢手段６にあって、すなわち、ドラム６１がワンウェイクラッチ機構を介して巻き取り軸４に設けられるとしており、ワンウェイクラッチ機構の作動時、すなわち、ロック時には、ドラム６１が巻き取り軸４に一体に設けられた状態になり、ワンウェイクラッチ機構の不作動時、すなわち、フリー時には、ドラム６１が巻き取り軸４から縁が切られた言わば分離された状態になり、巻き取り軸４の回動を左右しない状態になるとしている。
【０１１８】
一方、ドラム６１に巻装されるリード紐６２は、ドラム６１に一回から二回巻装されるとし、ドラム６１が言わば定位置に枢支されて移動が阻止される状態にあるときに、リード紐６２の一端が引かれると、ドラム６１が定位置で回動してリード紐６２の巻き込みおよび巻き解きを可能にすることになる。
【０１１９】
このことからすれば、リード紐６２の両端が言わば固定端とされている状態では、ドラム６１は、リード紐６２に沿って回動することになり、このとき、ドラム６１は、リード紐６２が巻装されていない状態に比較して、自由な回動が抑制され、したがって、このドラム６１を備える巻き取り軸４の自由な回動が抑制されることになる。
【０１２０】
そして、巻き取り軸４の自由な回動が抑制されることで、巻き取り軸４がガイドレール１に沿って下降する際に、回動しながら下降する巻き取り軸４の移動距離をこの巻き取り軸４から解き出される下カーテン２の解き出し長さに一致させることが可能になる。
【０１２１】
一方、この附勢手段６にあって、リード紐６２は、仮に伸びるとしても常時緊張状態に維持されるとし、この緊張状態を発現させるために、原理図たる図７に示すように、リード紐６２が下端にこの下端を下方に向けて引っ張るリード紐緊張手段６３を備えるとし、このリード紐緊張手段６３がリード紐６２の下端とこの下端の下方となる固定部、たとえば、図示しないアーチフレームＨ１の足元部との間に引っ張り部材たるコイルスプリング６３ａを備えるとし、このコイルスプリング６３ａの張力でリード紐６２を緊張状態に維持するとしている。
【０１２２】
それゆえ、以上のように形成された附勢手段６にあっては、巻き取り軸４が駆動機５の駆動で解き出し方向に回動してガイドレール１に沿って下降し下カーテン２を解き出すときに、ドラム６１がワンウェイクラッチ機構のロック作動で巻き取り軸４に固着状態に連結すると共にリード紐６２を巻き込みおよび巻き解きしてリード紐６２に沿って下降し、巻き取り軸４から解き出される下カーテン２の解き出し長さが巻き取り軸４の移動距離に一致することになり、したがって、下カーテン２が巻き取り軸４にだぶついた状態に巻かれることを未然に防止し得ることになる。
【０１２３】
そして、巻き取り軸４が解き出し方向に回動して下カーテン２を解き出すときに、巻き取り軸４から解き出される下カーテン２の解き出し長さが巻き取り軸４の移動距離に一致するから、解き出された下カーテン２は、ガイドレール１の下方で弛んだ状態でなく緊張された状態に展張されることになり、爾後の巻き取り軸４の巻き取り方向への回動で下カーテン２を巻き取る際に、巻き取り軸４に対して下カーテン２をだぶつかせることなく巻き取ることを可能にすることになる。
【０１２４】
上記したところからすれば、この附勢手段６がリード紐６２を巻装させるドラム６１、すなわち、巻き取り軸４に比較して大径に形成されるドラム６１を備えることは、リード紐６２を直接巻き取り軸４に巻装する場合に比較して作用力を小さくして巻き取り軸４の移動を容易に実現できることになる点で有利となる。なお、以上のように形成される附勢手段６は、巻き取り軸４にこの巻き取り軸４の軸線方向に沿って適宜の間隔で複数設けられるのが良い。
【０１２５】
ところで、上記したワンウェイクラッチ機構についてだが、基本的には、上記したロック時とフリー時を具現化できる構成であれば、任意に構成されて良いが、好ましい一実施形態としては、図８に示すように形成される。
【０１２６】
ちなみに、この図８に示すところは、図５中において、巻き取り軸４から、図５中の右側の鍔付車１２１撤去し、その状態を図５中の右上方から見た、すなわち、右上方から巻き取り軸４の軸線方向に沿って見た状態を示すもので、リード紐６２にあっては、図８中で左側が下端側となり、図８中で右側が上端側となる。
【０１２７】
このワンウェイクラッチ機構は、上記したドラム６１と、このドラム６１の軸芯部に同芯にして回動自在に保持されて、軸芯部に巻き取り軸４を固定状態に連結させる回動部材６４とを備える。
【０１２８】
そして、この図８に示すワンウェイクラッチ機構にあっては、先ずは、回動部材６４がドラム６１の内周に対向する外周に図８中での正面視で楔形となり巻き取り軸４の軸線方向に延在する外側凹溝６４ａを備える。
【０１２９】
次に、この図８に示すワンウェイクラッチ機構にあっては、ドラム６１が回動部材６４の外周に対向する内周に図８中での正面視で半円形となり巻き取り軸４の軸線方向に延在する内側凹溝６１ａを備える。
【０１３０】
さらに、この図８に示すワンウェイクラッチ機構にあっては、回動部材６４の外側凹溝６４ａに収容されると共にこの外側凹溝６４ａにドラム６１の内側凹溝６１ａが照準されるときに両方に臨在する遊動ストッパ６５、すなわち、軸線方向が巻き取り軸４の軸線方向に沿うロール状体からなり外側凹溝６４ａに臨在するとき遊動する遊動ストッパ６５を備える。
【０１３１】
それゆえ、この図８に示すワンウェイクラッチ機構にあっては、一の遊動ストッパ６５、たとえば、図８中で中央下方にある遊動ストッパ６５は、回動部材６４の外側凹溝６４ａにありながら言わばドラム６１の内側凹溝６１ａに落ち込んだ状態になり、この状態下に回動部材６４を図８中に矢印ｂで示す時計方向に回動すると、図８中に一点鎖線図で示すように、回動部材６４の外側凹溝６４ａが遊動ストッパ６５をドラム６１の内側凹溝６１ａとの間に挟み込む態勢になる。
【０１３２】
したがって、ドラム６１が回動できないとすると、回動部材６４は、それ以上回動し得なくなり、回動部材６４がドラム６１に連結された状態、すなわち、ロックされた状態になる。
【０１３３】
そして、このロックされた状態のときにドラム６１の回動が許容されることになると、回動部材６４がドラム６１を同期回動させる、すなわち、回動部材６４が時計方向に回動されると、ドラム６１が図８中に矢印ａで示す時計方向に同期回動することになり、ドラム６１のリード紐６２に沿った回動を実現し得ることになる。
【０１３４】
そしてまた、この図８に示すワンウェイクラッチ機構にあっては、回動部材６４が図８中で反時計方向に回動すると、改めて図示しないが、遊動ストッパ６５が回動部材６４の外側凹溝６４ａに戻される状態になり、回動部材６４のドラム６１に対する回動を自在にすることになる。
【０１３５】
ちなみに、この図８に示すワンウェイクラッチ機構にあっては、回動部材６４を回動して遊動ストッパ６５がドラム６１に形成の内側凹溝６１ａに落ち込むときにいわゆる衝撃音を認識できるので、附勢手段６の利用者をしてワンウェイクラッチ機構がロック状態になったことを確認できる利点がある。
【０１３６】
図９は、上記した実施形態に代える他の実施形態のワンウェイクラッチ機構を示すが、以下には、このワンウェイクラッチ機構における作動について説明する。ちなみに、この図９に示すワンウェイクラッチ機構にあっては、上記した図８に示すワンウェイクラッチ機構に比較して、ドラム６１に対する内側凹溝６１ａ（図８参照）の形成を省略した改変がなされている。なお、回動部材６４は、図８に示す回動部材６４と同一に構成されている。
【０１３７】
以上のように構成されている図９に示すワンウェイクラッチ機構にあっては、一の遊動ストッパ６５、たとえば、図９中で左にある遊動ストッパ６５は、回動部材６４の外側凹溝６４ａにあって収斂側に落ち込んだ態勢にあり、したがって、この状態下に回動部材６４を図９中に矢印ｂで示す時計方向に回動すると、遊動ストッパ６５が回動部材６４の外側凹溝６４にあって収斂方向に一層押し込まれる態勢になる。
【０１３８】
したがって、ドラム６１が回動できないとすると、回動部材６４は、それ以上回動し得なくなり、回動部材６４がドラム６１に連結された状態、すなわち、ロックされた状態になる。
【０１３９】
そして、このロックされた状態のときにドラム６１の回動が許容されることになると、回動部材６４がドラム６１を同期回動させることになり、ドラム６１のリード紐６２に沿った回動を許容することになる。
【０１４０】
そしてまた、この図９に示すワンウェイクラッチ機構にあっては、回動部材６４が図９中で反時計方向に回動すると、改めて図示しないが、遊動ストッパ６５が回動部材６４の外側凹溝６４ａにおける広い領域に押し戻される態勢になり、回動部材６４のドラム６１に対する回動を自在にすることになる。
【０１４１】
以上のことから、上記したワンウェイクラッチ機構を備える図５に示す附勢手段６にあっては、巻き取り軸４が図５中で左下方から見て反時計方向に回動されるとき、これに連れて附勢手段６におけるドラム６１が同じ方向に回動する。
【０１４２】
そして、このときのドラム６１は、リード紐６２を巻き込みおよび解き解きをしながら巻き取り軸４と共に図５中の右下方に移動することになり、このとき、巻き取り軸４の移動距離と下カーテン２の解き出し長さとが一致することになる。
【０１４３】
のみならず、本発明のカーテン装置にあっては、巻き取り軸４が解き出し方向に回動して下カーテン２を解き出すときに、附勢手段６によって、巻き取り軸４が言わば強制的に回動しながら移動することになるので、下カーテン２を適正に展張することが可能になる。
【０１４４】
すなわち、下カーテン２を吊持するガイドレール１がビニールハウスＨにおける部屋の天井側に水平に設けられ、したがって、ガイドレール１に吊持される戸車３が自重で高い方から低い方に下降する、すなわち、移動することを期待できない場合でも、下カーテン２の下端を連結する巻き取り軸４が附勢手段６の言わば助けで所定の長さを移動し得ることになり、解き出される下カーテン２の解き出し長さに一致することが可能になり、結果として、下カーテン２を適正に展張することが可能になる。
【０１４５】
以上のように、本発明の附勢手段６におけるワンウェイクラッチ機構は、巻き取り軸４が解き出し方向に回動してガイドレール１に沿って下降するときに、下カーテン２を巻き取り軸４から解き出すのはもちろんであるが、このときには、ワンウェイクラッチ機構がロック状態になり、巻き取り軸４の移動距離と下カーテン２の巻き取り軸４からの解き出し長さとを一致させるように機能する。
【０１４６】
すなわち、本発明のワンウェイクラッチ機構は、巻き取り軸４がガイドレール１に沿うようにして下降して下カーテン２を解き出すときには、巻き取り軸４と附勢手段６を構成するドラム６１とを一体にすべくロック状態になり、逆に、巻き取り軸４がガイドレール１に沿うようにして上昇して下カーテン２を巻き取るときには、巻き取り軸４と附勢手段６を構成するドラム６１とを分離すべくフリー状態になる特徴を備える。
【０１４７】
したがって、本発明におけるワンウェイクラッチ機構を具現化にあっては、下カーテン２の巻き取り軸４に対する巻き付き方向が変更されることや、ワンウェイクラッチ機構をみる方向が異なるなどすることで、回動部材６４の回動方向が異なったり、ロック状態あるいはフリー状態の具現化の現象が異なったりすると解される余地があるとしても、巻き取り軸４から下カーテン２を解き出すときにロック状態になり、巻き取り軸４にしたカーテン２を巻き取るときにフリー状態になる限りには、本発明のワンウェイクラッチ機構を具現化すると言い得る。
【０１４８】
次に、前記した構成のワンウェイクラッチ機構に対して、変形例の提案をできるので、改めて図示しないが、以下に少し説明する。先ず、ワンウェイクラッチ機構を構成する遊動ストッパ６５についてだが、前記した実施形態では、ロール状体からなるとしたが、これに代えて、球体からなるとしても良く、この場合に、球体がロール状体と同等の長さを備えることになるようにするために複数個で列をなすとしても良い。
【０１４９】
次に、遊動ストッパ６５の周方向への配設個数については、すなわち、回動部材６４の外周に形成される外側凹溝６４ａおよびあるいはドラム６１の内周に形成される内側凹溝６１ａの個数については、これが図示する４個に代えて、５個以上とされても良く、また、３個以下とされても良い。
【０１５０】
さらに、上記の遊動ストッパ６５は、これに代えてバネ部材からなるとしても良い。すなわち、基端がドラム６１の内周に固着され、先端が弾性に基づいて回動部材６４の外側凹溝６４ａに言わば出没自在に臨むバネ部材が設けられるとしても良く、この場合には、回動部材６４が時計方向に回動されるとき、バネ部材の先端が回動部材６４の外側凹溝６４ａにあって、回動部材６４のドラム６１に対する回動を阻止する状態になる。
【０１５１】
戻って、図１０は、他の実施形態の附勢手段７を示すが、この附勢手段７は、前記した附勢手段６と同様に、巻き取り軸４に設けられ巻き取り軸４をガイドレール１の下端側に向けて附勢する。
【０１５２】
そして、この附勢手段７は、上端を巻き取り軸４に連結してこの巻き取り軸４に巻き取りおよび解き出し自在に巻装すると共に下端を図示しないガイドレール１の下端の下方に延在して固定状態にする緊張ベルト７２を備える。
【０１５３】
緊張ベルト７２は、たとえば、ポリエステルやナイロンなどの合成樹脂材で形成されて、部屋の湿気で劣化せず、また、長期に亙る使用でも伸びないように配慮されて形成される。緊張ベルト７２が合成樹脂材で形成されることで、これがワイヤからなる場合に比較して、軽量にして防錆効果を得易い点で有利になる。
【０１５４】
ところで、緊張ベルト７２は、上端が巻き取り軸４に連結されるが、図示する実施形態では、巻き取り軸４がボビン７１を固定状態に有し、このボビン７１に緊張ベルト７２の上端を連結させ、緊張ベルト７２の下端は、図示しない軒部材Ｈ２の下方に延在して言わば固定端に見立てられている。
【０１５５】
すなわち、ボビン７１は、巻き取り軸４よりも径を大きくするドラム７１ａを有し、このドラム７１ａに緊張ベルト７２の上端を連結させている。なお、ボビン７１にあっては、ドラム７１ａにフランジ７１ｂを有し、このフランジ７１ｂがドラム７１ａに対する緊張ベルト７２のずれのない整列された巻取りを可能にしている。また、図示しないが、ボビン７１は、巻き取り軸４にこの巻き取り軸４の軸線方向に適宜の間隔を有して複数設けられている。
【０１５６】
一方、緊張ベルト７２の下端を固定端に見立てる態様であるが、図示する実施形態では、緊張ベルト７２の図示しない軒部材Ｈ２の下方に延在する下端が、この下端を下方に向けて引っ張るベルト緊張手段７３に連結されるとし、このベルト緊張手段７３が緊張ベルト７２の下端に連結する引っ張り部材たるコイルスプリング７３ａおよびこのコイルスプリング７３ａに連結するウェイト７３ｂを備え、このコイルスプリング７３ａおよびウェイト７３ｂで裏付けされた張力で緊張ベルト７２の下端を固定状態にする、すなわち、固定端に見立てるとしている。
【０１５７】
それゆえ、この附勢手段７にあっては、巻き取り軸４が駆動機５の駆動で解き出し方向に回動してガイドレール１に沿って下降し下カーテン２を解き出すときに、巻き取り軸４に設けたボビン７１が緊張ベルト７２を巻き取ることになり、このとき、緊張ベルト７２の下端が言わば固定端に見立てられて緊張ベルト７２が緊張状態に維持されているから、ボビン７１が緊張ベルト７２を巻き取るときに巻き取り軸４が言わば強制的にガイドレール１に沿って下降することになり、この限りにおいて、巻き取り軸４から解き出される下カーテン２の解き出し長さを巻き取り軸４の回動しながらの移動距離に一致させることが可能になる。なお、この附勢手段７にあっても、これが巻き取り軸４にこの巻き取り軸４の軸線方向に沿って適宜の間隔で複数設けられるのが良い。
【０１５８】
戻って、上記の附勢手段６，７は、巻き取り軸４が回動してガイドレール１に沿って移動、すなわち、昇降する際に、特に、巻き取り軸４から解き出される下カーテン２の解き出し長さを巻き取り軸４の回動しながらの移動距離に一致させるが、この観点からすれば、図示しないが、附勢手段が、駆動機用レール５５（図４参照）に代えてラック軸とされ、ガイドローラ５４に代えてラック軸に噛合する歯車とされるラックアンドピニオン構造に構成されてなるとしても良い。
【０１５９】
次に、本発明のカーテン装置にあっては、図１および図２に示すように、遮光用の下カーテン２の他に保温用の上カーテン２０を備えるとしており、そこで、以下には、この上カーテン２０について説明する。
【０１６０】
すなわち、本発明のカーテン装置にあっては、支持梁Ｂの下方に下カーテン２を備えるが、上カーテン２０は、支持梁Ｂの上方に設けられるとしており、下カーテン２の場合と同様に巻き軸２１（図１参照）に下端が連結され、巻き軸２１が駆動機５０（図１参照）の駆動で回動されるときに、巻き軸２１が上カーテン２０を巻き上げ、あるいは、上カーテン２０を解き出しする。
【０１６１】
ちなみに、図示する実施形態では、上カーテン２０の上端は、下カーテン２の場合と同様に固定端とされ、たとえば、ビニールハウスＨにおける頂部を形成する棟部材Ｈ３に沿って設けられて支持梁Ｂの頂部を連結させる固定部材（符示せず）を他部たる固定部に見立ててこれに連結されるとしている。
【０１６２】
そして、上カーテン２０は、図示する実施形態では、支持梁ＢがビニールハウスＨにおける妻面Ｈ４に向かう立面視で山形に形成されることから、これに倣うようにビニールハウスＨにおける妻面Ｈ４に向かう立面視で山形に形成され、ビニールハウスＨの長手方向に延在、すなわち、配設される。
【０１６３】
上カーテン２０は、ビニールハウスＨの長手方向に配設される設定のとき、いわゆる一枚の上カーテン０２がビニールハウスＨの長手方向に配設されるとしても良いが、これに代えて、ビニールハウスＨの長手方向に複数枚とされて配設されるとしても良い。
【０１６４】
また、上カーテン２０は、ビニールハウスＨの短手方向に延在、すなわち、配設されるとき、上記したところと同様に、一枚の上カーテン２０がビニールハウスＨの短手方向に配設されるとしても良いが、これに代えて、ビニールハウスＨの短手方向に複数枚とされて配設されるとしても良い。
【０１６５】
そして、上カーテン２０は、図示する実施形態に代えて、一枚とされて支持梁Ｂの頂部にある固定部に言わば上端が連結されずして跨ぎ、ビニールハウスＨの両側面に対向する両側端がそれぞれ巻き軸２１に連結し、各巻き軸２１の回動で、山形に形成の支持梁Ｂに沿って、言わば稜線で分けられる左右で巻き軸２１に連結される下端を巻き軸２１と共に昇降させる設定としても良い。
【０１６６】
ちなみに、上カーテン２０は、たとえば、可撓性に富むフィルム材やシート材からなり、可視性で無色とされたり有色とされたりして保温用とされ、巻き軸２１に巻き取られるときに徒にだぶつかず、また、巻き軸２１から解き出されるときに徒に伸びないように形成されるのが好ましい。
【０１６７】
そして、上カーテン２０を巻き取りあるいは解き出しする巻き軸２１は、駆動機５０の駆動で支持梁Ｂに沿って、また、支持梁Ｂの上方で回動する（図１参照）。なお、駆動機５０は、図示しないが、専用の駆動機用レールに沿って回動、すなわち、移動するとしても良く、また、上方に上カーテン２０を展張させる支持梁Ｂに並列して上方に上カーテン２０を展張させない支持梁Ｂを駆動機用のレールに見立てて移動するとしても良い。
【０１６８】
一方、本発明のカーテン装置にあっては、図１１に示すように、上カーテン２０を支持梁Ｂの上方に展張し、この展帳状態を維持するために、巻き軸２１を係止させる係止軸Ｓを支持梁Ｂに備えるとしている。
【０１６９】
そして、巻き軸２１が係止軸Ｓに係止される状態について説明すると、図１２（Ａ）に示すように、支持梁Ｂの上方にある巻き軸２１は、支持梁Ｂの下端側に移動するときに、図１２（Ａ）中に矢印ｃで示すように、同図中で反時計方向に回動して上カーテン２０を解き出す。
【０１７０】
上記のようにして、上カーテン２０を言わば目一杯解き出した巻き軸２１は、図１２（Ｂ）に示すように、上カーテン２０の下端を連結させた状態で、係止軸Ｓより下方にあって、吊り下がる状態になる。
【０１７１】
この状態から、巻き軸２１が、図１２（Ｂ）中に矢印ｄで示すように、同図中で反時計方向にさらに回動すると、巻き軸２１は、上カーテン２０の下端部を巻き込みながら係止軸Ｓに向かって上昇し、その帰結として、図１１に示すように、巻き軸２１が上カーテン２０の下端部を巻き込んだ状態で係止軸Ｓの言わば下端に当接して、以降の巻き軸２１の動きが阻止される状況になり、上カーテン２０の支持梁Ｂ上方での展張状態が維持されることになる。
【０１７２】
なお、巻き軸２１が上カーテン２０の下端部を巻き込むようにして係止軸Ｓに係止する場合には、係止軸Ｓによって上カーテン２０の下端部がビニールハウスＨの長手方向に沿って連続して折り曲げられる態勢になるので、上カーテン２０の下端部が独立状態に設けられるストッパによって部分的に折り曲げられる態勢になる場合に比較して、上カーテン２０の下端部における破断の可能性を低くする点で有利になる。
【０１７３】
なお、上記した上カーテン２０にあっても、これが下端から巻き軸２１で巻き取られるから、言わば上端が位置決められる支持梁Ｂの上にあって支持梁Ｂの頂部近くにロール状に巻き取られることになり、支持梁Ｂの下にある下カーテン２の開閉の妨げにならないのはもちろんである。
【０１７４】
前記したところでは、支持梁ＢがビニールハウスＨの妻面Ｈ４に向かう立面視で山形に形成され、したがって、ガイドレール１も山形に形成され、また、下カーテン２も山形に形成されるとしたが、本発明の意図するところからすれば、図示しないが、支持梁Ｂが片流れ態様に形成され、したがって、ガイドレール１およびこのガイドレール１に吊持される下カーテン２、さらには、上カーテン２０がそれぞれ片流れ態様に形成されるとしても良い。
【０１７５】
また、前記したところでは、巻き取り軸６を回動させる駆動機５、および、巻き軸２１を回動させる駆動機５０が電動モータ５１を有していわゆる自動制御で駆動されるとしたが、本発明が意図するところからすれば、駆動機５，５０が手動操作で駆動される構成とされても良い。
【０１７６】
そして、前記したところでは、ガイドレール１がビニールハウスＨを形成するアーチフレームＨ１に連結する支持梁Ｂに吊持されて配設されるとしたが、本発明の意図するところからすれば、ガイドレール１がビニールハウスＨの部屋に設けられる限りには、支持梁Ｂを省略して、アーチフレームＨ１に直に連結されて配設されるとしても良い。
【０１７７】
さらに、前記したところでは、支持梁Ｂは、下カーテン２を吊持するガイドレール１を吊持すると共に上カーテン２０を上方に配設させるが、これに加えて、支持梁Ｂが上カーテン２０の下面に発生することがある結露水を集めて流す排水機能を備えるとしても良く、また、Ｌ字状に曲げられる下端部が結露水を流す樋部材やシート部材の配置を許容するとしても良い。
【０１７８】
以上で、本発明のカーテン装置についての説明を終了するが、前記した構成は一例であって、本発明のカーテン装置を具現化するのにあって、その構成が上記した構成に限定されないことはもちろんである。
【符号の説明】
【０１７９】
１  ガイドレール
２  下カーテン
３  戸車
４  巻き取り軸
５  駆動機
６，７  附勢手段
２０  上カーテン
２１  巻き軸
５３  出力軸
５４  ガイドローラ
５５  駆動機用レール
６１  ドラム
６１ａ  内側凹溝
６２  リード紐
６３  リード紐緊張手段
６３ａ，７３ａ  引っ張り部材たるコイルスプリング
６４  回動部材
６４ａ  外側凹溝
６５  遊動ストッパ
７２  緊張ベルト
７３  ベルト緊張手段
７３ｂ  ウェイト
Ｂ  支持梁
Ｈ  ビニールハウス
Ｈ３  棟部材
Ｈ４  妻面
【図１】
0006343193.tif 000002
【図２】
0006343193.tif 000003
【図３】
0006343193.tif 000004
【図４】
0006343193.tif 000005
【図５】
0006343193.tif 000006
【図６】
0006343193.tif 000007
【図７】
0006343193.tif 000008
【図８】
0006343193.tif 000009
【図９】
0006343193.tif 000010
【図１０】
0006343193.tif 000011
【図１１】
0006343193.tif 000012
【図１２】
0006343193.tif 000013